(57)【特許請求の範囲】
【請求項１】
少なくともメッセージデータを受信し、このメッセージデータに基づくメッセージを表示する表示手段を備えた受信装置において、
キーワードに相当する特定コード列に対応させて複数のイラストパターンを記憶した記憶手段と、
前記メッセージデータより前記特定コード列を検出する検出手段と、
この検出手段により前記メッセージデータより前記特定コード列を検出すると、該特定コード列に対応する複数のイラストパターンを前記記憶手段より読み出し、前記メッセージとともに前記複数のイラストパターンを前記表示手段に順次切替えて表示させる制御手段とを具備したことを特徴とする受信装置。
【請求項２】
前記記憶手段は、キーワードに相当する特定コード列を複数記憶し、さらにこの複数の特定コード列を種目毎に区分して、これらの種目単位で複数のイラストパターンを一組として記憶したことを特徴とする請求項１記載の受信装置。
【請求項３】
前記記憶手段に記憶されるイラストパターンは、複数のパターンパーツによって構成される似顔絵であることを特徴とする請求項１記載の受信装置。
【請求項４】
前記検出手段は、前記メッセージデータを構成するコード列より前記特定コード列を検出することを特徴とする請求項１記載の受信装置。
【請求項５】
予めキーワードに相当する特定コード列に対応させて複数のイラストパターンを記憶した記憶部を備えた、無線通信機能を備えた電子計算処理装置の表示方法であって、
受信されたデータより特定コード列を検出する検出ステップと、
この検出ステップにより特定コード列を検出すると、該特定コード列に対応する複数のイラストパターンを前記記憶部より読み出し、前記受信データとともに前記複数のイラストパターンを表示部に順次切替えて表示させる制御ステップと
からなることを特徴とする表示方法。
【発明の詳細な説明】
【０００１】
【産業上の利用分野】
本発明は、メッセージとしてイラスト情報も伝送可能にした受信装置、および、無線通信機能を備えた電子計算処理装置の表示方法に関するものである。
【０００２】
【従来の技術】
最近、通信システムとして、加入者が携帯するページング受信機に対し一般電話機より交換局を介して呼出番号とともに簡単なメッセージを無線伝送することにより、必要とする情報を知らせるようにしたページングサービスが運用されている。
しかして、従来、このようなページングサービスでの情報サービスは、数字から構成されるメッセージを伝送するものが殆どであった。
【０００３】
【発明が解決しようとする課題】
ところが、情報メッセージとして数字列を伝送するものでは、伝送できる字数が限られているため、この限られた字数の範囲で相手に十分の気持ちを伝えることが難しいという問題点があった。
【０００４】
そこで、最近になって、イラスト情報をも伝送できるようにしたものが考えられている。しかし、このようにしたものは、予め与えられたイラストを受信機側で静止画として表示するものであり、相手に気持ちを伝えるのに必要とする表現力に欠けるものであった。
本発明は、上記事情に鑑みてなされたもので、表現力に富んだメッセージを表示することができる受信装置、および、無線通信機能を備えた電子計算処理装置の表示方法を提供することにある。
【０００５】
【課題を解決するための手段】
本発明は、少なくともメッセージデータを受信し、このメッセージデータに基づくメッセージを表示する表示手段を備えた受信装置において、キーワードに相当する特定コード列に対応させて複数のイラストパターンを記憶した記憶手段と、前記メッセージデータより前記特定コード列を検出する検出手段と、この検出手段により前記メッセージデータより前記特定コード列を検出すると、該特定コード列に対応する複数のイラストパターンを前記記憶手段より読み出し、前記メッセージとともに前記複数のイラストパターンを前記表示手段に順次切替えて表示させる制御手段とにより構成されている。
【０００６】
また、本発明では、前記記憶手段は、キーワードに相当する特定コード列を複数記憶し、さらにこの複数の特定コードを種目毎に区分して、これらの種目単位で複数のイラストパターンを一組として記憶するようにしている。
【０００７】
また、本発明では、前記記憶手段に記憶されるイラストパターンは、複数のパターンパーツによって構成される似顔絵である。また、本発明では、前記検出手段は、前記メッセージデータを構成するコード列より前記特定コード列を検出するようにしている。
また、本発明では、予めキーワードに相当する特定コード列に対応させて複数のイラストパターンを記憶した記憶部を備えた受信装置の表示方法であって、受信されたデータより特定コード列を検出する検出ステップと、この検出ステップにより特定コード列を検出すると、該特定コード列に対応する複数のイラストパターンを前記記憶部より読み出し、前記受信データとともに前記複数のイラストパターンを表示部に順次切替えて表示させる制御ステップとからなる。
【０００８】
【作用】
この結果、本発明によれば、キーワードに相当する特定コード列に対応させて複数のイラストパターンを記憶手段に記憶しておき、受信されるメッセージデータより特定コード列を検出手段が検出すると、この特定コード列に対応する複数のイラストパターンを記憶手段より読み出し、これらイラストパターンを表示手段に順次切替えて表示するようにしたので、受信メッセージを表現力に富んだものにして受け取ることができる。
【０００９】
また、本発明によれば、記憶手段は、キーワードに相当する特定コード列を複数記憶し、さらにこの複数の特定コードを種目毎に区分して、これら種目単位で複数のイラストパターンを一組として記憶しているので、最小限の種類のイラストパターンをもって各特定コードに適合した表現を得ることができる。
【００１０】
また、本発明によれば、記記憶手段に記憶されるイラストパターンは、複数のパターンパーツによって構成される似顔絵からなるので、さらに親近感を持ったメッセージを表示できる。
【００１１】
また、本発明によれば、検出手段は、前記メッセージデータを構成するコード列より前記特定コード列を検出するようしているので、メッセージデータのうち最も特徴的な部分のみをキーワードとして用いることができる。
また、本発明によれば、予めキーワードに相当する特定コード列に対応させて複数のイラストパターンを記憶した記憶部を備え、受信されたデータより特定コード列を検出すると、該特定コード列に対応する複数のイラストパターンを前記記憶部より読み出すとともに、これらイラストパターンを表示部に順次切替えて表示させるようにしたので、受信メッセージを表現力に富んだものにして受け取ることができる。
【００１２】
【実施例】
以下、本発明の一実施例を図面に従い説明する。
図１は、ページングサービスに適用される本発明のペ−ジング受信機の外観図を示している。この場合、ページング受信機４は、キー入力部４１と表示部４２をヒンジ部４３を介して連結するとともに、これらを２つ折り可能な構成にしている。
【００１３】
キー入力部４１は、各種の操作用キーとして、数字キー５、セットキー６、セレクトキー７、モードキー８を有している。ここで、数字キー５は、「１」〜「０」キーの他に、「＊」キー、「＃」キーを有し、これらキーにより入力データを指示するようにしている。セットキー６は、各種モードにおいて設定操作を行う際に、その決定を指示するものである。セレクトキー７は、各モードにおいて、選択操作を行うものである。そして、モードキー８は、その操作回数によって送信メッセージ作成モード、時刻設定モード、鳴音切り替えモードなどを選択できるようになっている。
【００１４】
表示部４２は、液晶パネルからなるもので、ここでは、伝言メッセージやイラストからなる似顔絵メッセージを表示するセグメント等で構成されるメッセージ表示部４２１を有している。なお、表示部４２は、表示手段として別の表示素子を用いることもでき、例えばＥＬディスプレイ、プラズマディスプレイなどを用いることも可能である。そして、似顔絵メッセージとして表示される人間の顔は、ドットマトリクス表示部で表示することも可能であり、その場合、似顔絵メッセージは、各パーツ毎にドットパターンで表示される。
【００１５】
なお、図中の９は電源投入スイッチ、１０はリセットスイッチである。
図２は、ペ−ジング受信機の概略構成を示すもので、図において、１１はアンテナで、このアンテナ１１はＲＦ受信部１２に接続し、このＲＦ受信部１２をデコーダ部１３を介してＣＰＵ１４に接続している。ＲＦ受信部１２は、アンテナ１１で受信した受信データを復調するようにしている。
【００１６】
デコーダ部１３には、ＩＤ−ＲＯＭ１５を接続している。ＩＤ−ＲＯＭ１５は、当該ペ−ジング受信機に個別に割当てられたＩＤコード、詳細にはフレームデータやアドレスデータ等を記憶したもので、このＩＤコードをデコーダ部１３に与えるようにしている。デコーダ部１３は、ＩＤ−ＲＯＭ１５より取り込んだＩＤコードに基づいてＲＦ受信部１２を間欠駆動するとともに、ＲＦ受信部１２で復調した信号を解読し、これがＩＤコードに一致したと判断すると、一致検出信号および続いて受信されるメッセージデータをＣＰＵ１４に送り込むようにしている。
【００１７】
ＣＰＵ１４には、上述したキー入力部４１と表示部４２の他に、スピーカ１６、バイブレータ１７、ＬＥＤ１８、ＲＯＭ１９、ＲＡＭ２０を接続している。
スピーカ１６は、ＣＰＵ１４の制御の下で、図示しない駆動回路を介して呼出し状態を報知音で出力し、同様に、バイブレータ１７は、呼出し状態を振動で、ＬＥＤ１８は、呼出し状態を光の点滅により出力するようにしている。
【００１８】
ＲＯＭ１９は、ＣＰＵ１４のために予め用意された制御プログラムを記憶するとともに、定型文テーブル、フリー伝言変換コードマトリックス、感情メッセージテーブル、動画パターンテーブルなどを記憶している。
【００１９】
この場合、定型文テーブルは、キーワードを数字による特定コードで検出するため図３に示すように伝言Ｎｏに対応付けて、さらに定型文メッセージを後述するフリー伝言マトリクスに基づいて数字列に変換したコード列を記憶したもので、例えば、メッセージコード「０１」で定型文メッセージ「キンキュウ」のコード列「２２０３２２８７１３」を得られ、メッセージコード「０２」で定型文メッセージ「ＴＥＬセヨ」のコード列「４０１０３７３４８５」を得られるようにしている。
【００２０】
また、フリー伝言変換コードマトリックスは、フリー伝言によるメッセージ作成に用いるもので、図４に示すように、文字、数字、アルファベットなどをマトリックスに記憶していて、例えば、数字キー５の操作によって「１１」で「ア」、「１２」で「イ」を得られるようにしている。
【００２１】
また、感情メッセージテーブルは、図５に示すように指定コードとなる感情メッセージコードに対応付けて人間の表情を表すイラストによる表情パターンを記憶したもので、例えば、感情メッセージコード「２１」を指定すれば、これに対応する表情パターンを感情メッセージとして得られるようにしている。
【００２２】
そして、動画パターンテーブルは、キーワードに対応した表情パターンを表示するためのもので、図６に示すように各キーワードを、表情パターンの種目に応じて１群（喜）、２群（怒）、３群（哀）、４群（楽）の４つの群に区分し、それぞれの群ごとに順次切替え手表示される複数の表示パターンに対応する感情メッセージコードを記憶するようにしている。例えば、キーワード「アイ」（コード列１１１２）の場合は、１群（喜）に属し、この１群に対応する感情メッセージ「２２」「２５」「２６」を得られるようにしている。
【００２３】
図２に戻って、ＲＡＭ２０は、呼出しに際して送られてきたメッセージデータを記憶するものである。また、ＣＰＵ１４は、ＲＯＭ１９に記憶された制御プログラムにしたがって、各回路を総括的に制御するようになっている。
【００２４】
次に、以上のように構成した実施例の動作を説明する。
電源投入スイッチ９を操作することによって電源投入されると、受信モードが設定され、図７に示すフローチャートが実行される。
【００２５】
まず、ステップ７０１で、着信松の状態よりアンテナ１１を介してＲＦ受信部１２で受信信号を受信すると、ＲＦ受信部１２では、受信データを復調してデコーダ部１３に与える。デコーダ部１３では、復調された受信データの呼出し信号に応じたデータについてＩＤ−ＲＯＭ１５より与えられる当該ペ−ジング受信機に個別に割当てられたＩＤコードとの一致を判断する。そして、これらが一致した場合のみ、呼出信号受信にともなう呼出信号検出信号をＣＰＵ１４に送出する。
【００２６】
次に、ステップ７０２で、呼出信号の後にメッセージデータが付いているか否かを判断する。ここで、メッセージデータが続いていない場合は、ステップ７０３に進み、呼出信号受信にともなう受信報知のみを行う。図８は、呼出信号にともなう受信報知のみを行う場合の表示例を示している。
【００２７】
一方、呼出信号の後にメッセージデータが続く場合は、ステップ７０４に進む。ステップ７０４では、ＣＰＵ１４よりデコーダ部１３に対して受信信号を継続して受信するように指示し、メッセージデータを取込んだ後、フリー伝言変換コードによって作成されたメッセージまたは定型文メッセージの表示を指定する定型文指定コードにより設定された定型メッセージを表す「＊  ＊  」で定義されるフォーマット指定コードが存在するかを判断する。この場合、フリー伝言変換コードによって作成されたメッセージである場合は、メッセージの先頭部に「＊２＊２」で定義されるフォーマット指定コードが付加され、一方、伝言Ｎｏに対応付けて設定された定型メッセージである場合は、メッセージの先頭部に「＊４＊４」で定義されるフォーマット指定コードが付加されている。
【００２８】
ここで、フォーマット指定コードがない場合は、ステップ７０５で、受信報知を行い、表示部４２にこの受信したメッセージデータに基づくメッセージを表示する。図９は、フォーマット指定コードがない数字メッセージを表示する例を示している。
【００２９】
一方、ステップ７０４で先頭部に「＊  ＊  」で定義されるフォーマット指定コードを付けたデータが存在すると判断した場合は、ステップ７０６に進み、このフォーマット指定コードの後のメッセージ内に特定コード列からなるキーワードが存在するか否かを判断する。
【００３０】
この場合、まず、フォーマット指定コードの後のメッセージを図３に示す定型文テーブルおよび図４に示すフリー伝言変換コードマトリクスを用いてコード列に変換する。例えば、メッセージデータが「＊４＊４０２」（ＴＥＬセヨ）の場合、「０２」の部分は図３に示す定型文テーブルに基づいてコード列「４０１０３７３４８５」に変換する。そして、フォーマット指定コード「＊４＊４」の後のコード列の先頭から１文字ずつ見ていき、偶数個のコード列ごとに図６に示す動画パターンテーブルに設定されているキーワードに対応するコード列に該当するものが存在するかを検索する。上述の「４０１０３７３４８５」の場合は、先に検出されたフォーマット指定コード「＊４＊４」に続くコード列「４０１０３７」が図６に示す動画パターンテーブルの４群（楽）のキーワード「ＴＥＬ」のコード列に該当することになる。
【００３１】
ステップ７０６で、キーワードが存在しない場合は、ステップ７０７に進み、表示部４２に変換したメッセージを表示する。図１０は、メッセージデータが「＊４＊４１７」（スグニイク）の場合の表示例で、この場合も「１７」は、図３に示す定型文テーブルにより「３３２３０４５２１２２３」のコード列に変換されるが、この時のコード列は、図６に示す動画パターンテーブルのキーワードに対応するコード列に該当するものが存在しないので、「１７」に対応する（スグニイク）が表示部４２に表示されることになる。
【００３２】
一方、ステップ７０６で、キーワードが存在する場合は、ステップ７０８に進む。ここでは、メッセージデータのコード列により検出されたキーワードが２個以上存在するかを判断する。ここで、キーワードが２個以上存在しない場合は、ステップ７０９に進み、表示部４２にメッセージとともに、キーワードに該当する特定コード列によって読み出された複数の感情パターンの切り替え表示による感情メッセージが表示される。
【００３３】
図１１は、メッセージデータが「＊４＊４０２」（ＴＥＬセヨ）の場合の表示例を示している。この場合、上述したように図６に示す動画パターンテーブルの４群（楽）のキーワード「ＴＥＬ」のコード列に該当するので、４群（楽）に対応する感情メッセージコード「２３」「２１」「２４」が指定される。これにより、これら感情メッセージコード「２３」「２１」「２４」に対応する表情パターンが、図５に示す感情メッセージテーブルより読み出され、図１１（ａ）（ｂ）（ｃ）の順で切り換えられ、メッセージ（ＴＥＬセヨ）とともに表示部４２に表示される。
【００３４】
この場合、表情パターンの切り換え表示は、２回繰り返して行われ、表情パターンが切り換え表示されている間は、メッセージ（ＴＥＬセヨ）のキーワードに対応する部分、ここでは「ＴＥＬ」が点滅表示される。
【００３５】
また、ステップ７０８で、検出されたキーワードが２個目以上存在する場合は、ステップ７１０に進み、これらのキーワードの該当する群が２種目以上検出されたか否かを判断する。ここで、群が２種目以上検出されなかった場合、すなわち２個以上検出されたキーワードがすべて同じ種目に含まれる場合は、ステップ７０９に進み、表示部４２にメッセージとともに、感情メッセージが順次表示される。
【００３６】
図１２および図１３は、メッセージデータが「＊４＊４０２＊４＊４１１＊８」（ＴＥＬセヨ）（サキニイク）の場合の表示例を示している。この場合、「＊４＊４０２」のうち「０２」については、上述と同様に図６に示す動画パターンテーブルの４群（楽）のキーワード「ＴＥＬ」のコード列に該当するので、４群（楽）に対応する感情メッセージコード「２３」「２１」「２４」が指定される。また、「＊４＊４１１」のうち「１１」については、図３に示す定型文テーブルよりコード列「３１２２５２１２２３」に変換され、フォーマット指定コード「＊４＊４」に続くこのコード列のうち下位４桁の「１２２３」が図６に示す動画パターンテーブルの４群（楽）のキーワード「イク」のコード列に該当するので、この場合も、４群（楽）に対応する感情メッセージコード「２３」「２１」「２４」が指定される。これにより、これら感情メッセージコード「２３」「２１」「２４」に対応する表情パターンが、図５に示す感情メッセージテーブルより読み出され、図１２（ａ）（ｂ）（ｃ）、図１３（ａ）（ｂ）（ｃ）の順で切り換えられ、メッセージ（ＴＥＬセヨ）（サキニイク）とともに表示部４２に表示される。
【００３７】
この場合、表情パターンの切り換え表示は、図１２および図１３について１回ずつ行われ、図１２に示す表情パターンが切り換え表示されている間は、メッセージ（ＴＥＬセヨ）のキーワードに対応する「ＴＥＬ」、図１２に示す表情パターンが切り換え表示されている間は、メッセージ（サキニイク）のキーワードに対応する「イク」が点滅表示される。
【００３８】
一方、ステップ７１０で該当する群が２種目以上検出された場合は、ステップ７１１に進み、複数のキーワードによって優先される種目があるかを判断する。ここでの各種目の優先順位は、検出したキーワードを種目別に分別し、この種目別ごとのキーワードの数で決定するものとする。
【００３９】
この場合、ステップ７１１で、優先される種目がない場合、すなわち種目別に分別した結果、キーワード数が種目別に同数の場合は、ステップ７１２に進んだ場合と同様に表示部４２にメッセージとともに、感情メッセージが表示される。
【００４０】
図１４および図１５は、メッセージデータが「＊４＊４０２＊４＊４０７＊８」（ＴＥＬセヨ）（チュウシスル）の場合の表示例を示している。この場合、「＊４＊４０２」の内「０２」については、上述と同様に図６に示す動画パターンテーブルの４群（楽）のキーワード「ＴＥＬ」のコード列に該当するので、４群（楽）に対応する感情メッセージコード「２３」「２１」「２４」が指定される。また、「＊４＊４０７」の内「０７」については、図３に示す定型文テーブルよりコード列「４２８７１３３２３３９２」に変換され、フォーマット指定コード「＊４＊４」に続くこのコード列の内、上位８桁の「４２８７１３３２」が図６に示す動画パターンテーブルの３群（哀）のキーワード「チュウシ」のコード列に該当するので、３群（哀）に対応する感情メッセージコード「３０」「２７」「３１」が指定される。これにより、まず、キーワード「ＴＥＬ」の感情メッセージコード「２３」「２１」「２４」に対応する表情パターンが、図５に示す感情メッセージテーブルより読み出され、図１４（ａ）（ｂ）（ｃ）の順で切り換えられ、続けてキーワード「チュウシ」の感情メッセージコード「３０」「２７」「３１」に対応する表情パターンが、同様に図５に示す感情メッセージテーブルより読み出され、図１５（ａ）（ｂ）（ｃ）の順で切り換えられ、それぞれメッセージ（ＴＥＬセヨ）（チュウシ）とともに表示部４２に表示される。
【００４１】
この場合、表情パターンの切り換え表示は、図１４および図１５について２回ずつ行われ、図１４に示す表情パターンが切り換え表示されている間は、メッセージ（ＴＥＬセヨ）のキーワードに対応する「ＴＥＬ」、図１５に示す表情パターンが切り換え表示されている間は、メッセージ（チュウシ）のキーワードに対応する「チュウシ」が点滅表示される。
【００４２】
一方、ステップ７１１で、優先される種目がある場合は、ステップ７１３に進み、表示部４２にメッセージとともに、感情メッセージが表示される。
図１６および図１７は、メッセージデータが「＊４＊４１８＊４＊４２０＊４＊４１１＊８」（ＯＫデス）（リョウカイ）（サキニイク）の場合の表示例を示している。この場合、「＊４＊４１８」の内「１８」については、図３に示す定型文テーブルよりコード列「３０３６４４０４３３」に変換され、フォーマット指定コード「＊４＊４」に続くこのコード列の内、上位４桁の「３０３６」が図６に示す動画パターンテーブルの１群（喜）のキーワード「ＯＫ」のコード列に該当し、また、「＊４＊４２０」の内「２０」については、図３に示す定型文テーブルよりコード列「９２８８１３２１１２」に変換され、フォーマット指定コード「＊４＊４」に続くこのコード列「９２８８１３２１１２」が図６に示す動画パターンテーブルの１群（喜）のキーワード「リョウカイ」のコード列に該当し、さらに「＊４＊４１１」の内「１１」については、図３に示す定型文テーブルよりコード列「３１２２５２１２２３」に変換され、フォーマット指定コード「＊４＊４」に続くこのコード列の内、下位４桁の「１２２３」が図６に示す動画パターンテーブルの４群（楽）のキーワード「イク」のコード列に該当する。従って、この場合、１群に属するキーワードが２個、４群に属するキーワードが１個なので、１群（喜）が優先して、これに対応する感情メッセージコード「２２」「２５」「２６」が指定され、次いで、４群（楽）に対応する感情メッセージコード「２３」「２１」「２４」が指定される。これにより、まず、キーワード「ＯＫ」、「リョウカイ」の感情メッセージコード「２２」「２５」「２６」に対応する表情パターンが、図５に示す感情メッセージテーブルより読み出され、図１６（ａ）（ｂ）（ｃ）の順で切り換えられ、続けてキーワード「イク」の感情メッセージコード「２３」「２１」「２４」に対応する表情パターンが、同様に図５に示す感情メッセージテーブルより読み出され、図１５（ａ）（ｂ）（ｃ）の順で切り換えられ、それぞれメッセージ（ＯＫデス）（リョウカイ）（サキニイク）とともに表示部４２に表示される。
【００４３】
この場合、表情パターンの切り換え表示は、図１６および図１７について２回ずつ行われ、図１６に示す表情パターンが切り換え表示されている間は、メッセージ（ＯＫデス）のキーワードに対応する「ＯＫ」とメッセージ（リョウカイ）のキーワードに対応する「リョウカイ」、図１７に示す表情パターンが切り換え表示されている間は、メッセージ（サキニイク）のキーワードに対応する「イク」がそれぞれ点滅表示される。
【００４４】
従って、このような実施例によれば、特定コード列からなるつキーワードに対応させて複数の感情メッセージコードを動画パターンテーブルとしてＲＯＭ１９に記憶しておき、ＲＦ受信部１２で受信されるメッセージデータをＲＯＭ１９の定型分テーブルおよびフリー伝言変換マトリクスでコード列に変換して、このコード列にキーワードが存在するかを調べ、キーワードを検出すると、このキーワードに対応する感情メッセージコードをＲＯＭ１９より読み出し、これら感情メッセージコードに対応する表情パターンを表示部４２に順次切替えて表示するようにしたので、相手の気持ちを十分に伝えることができる表現力に富んだメッセージを受け取ることができる。
【００４５】
また、動画パターンテーブルは、キーワードを複数の種目毎に区分し、これらの種目単位で複数の感情メッセージコードを記憶するようにしたので、最小限の種類の表情パターンをもって各キーワードに適合した表情を表現することもでき、また、ＲＯＭ１９の表情メッセージテーブルに記憶される表情パターンは、複数のパターンパーツによって構成される似顔絵からなるので、さらに親近感を持った感情メッセージを表現でき、さらに、メッセージデータを構成するコード列の一部をキーワードとしているので、メッセージデータのうち最も特徴的な部分をキーワードとすることができる。
【００４６】
なお、本発明は、上記実施例にのみ限定されず、要旨を変更しない範囲で適宜変形して実施できる。例えば、上述した実施例では、イラストパターンとして似顔絵パターンを用いたが、イラストパターンとして、人相の状態に限らず、他の生命体、物体などの状態を模写したものを使用しても良い。
【００４７】
また、本発明は、公衆回線を利用したページューに限らず、無線通信機能を有する各種タイプの受信装置に適用される。つまり、公衆回線を利用しない構内ページャーや赤外線などで通信する通信機能付き玩具また通信機能を有するパーソナルコンピュータ、電子手帳、その他の電子計算処理装置にも本発明は適用できる。
【００４８】
【発明の効果】
以上述べたように本発明によれば、相手の気持ちを十分に伝えることができる表現力に富んだメッセージを受け取ることができ、また、最小限の種類の表情パターンをもって各キーワードに適合した表情を表現できるとともに、親近感を持ったメッセージを受信できる。
【図面の簡単な説明】
【図１】本発明の一実施例に用いられるページング受信機の外観図。
【図２】一実施例に用いられるページング受信機の概略構成を示す図。
【図３】一実施例に用いられる定型文テーブルの一例を示す図。
【図４】一実施例に用いられるフリー伝言変換コードマトリクスの一例を示す図。
【図５】一実施例に用いられる感情メッセージテーブルの一例を示す図。
【図６】一実施例に用いられる動画パターンテーブルの一例を示す図。
【図７】一実施例の受信モードを説明するためのフローチャート。
【図８】一実施例の表示部での表示例を示す図。
【図９】一実施例の表示部での表示例を示す図。
【図１０】一実施例の表示部での表示例を示す図。
【図１１】一実施例の表示部での表示例を示す図。
【図１２】一実施例の表示部での表示例を示す図。
【図１３】一実施例の表示部での表示例を示す図。
【図１４】一実施例の表示部での表示例を示す図。
【図１５】一実施例の表示部での表示例を示す図。
【図１６】一実施例の表示部での表示例を示す図。
【図１７】一実施例の表示部での表示例を示す図。
【符号の説明】
４１…キー入力部、
４２…表示部、
４２１…メッセージ表示部、
４３…ヒンジ部、
５…数字キー、
６…セットキー、
７…セレクトキー、
８…モードキー、
９…電源投入スイッチ、
１０…リセットスイッチ、
１１…アンテナ、
１２…ＲＦ受信部、
１３…デコーダ部、
１４…ＣＰＵ、
１５…ＩＤ−ＲＯＭ、
１６…スピーカ、
１７…バイブレータ、
１８…ＬＥＤ、
１９…ＲＯＭ、
２０…ＲＡＭ。
【図１】
0003551516.tif 000002
【図２】
0003551516.tif 000003
【図３】
0003551516.tif 000004
【図４】
0003551516.tif 000005
【図５】
0003551516.tif 000006
【図６】
0003551516.tif 000007
【図７】
0003551516.tif 000008
【図８】
0003551516.tif 000009
【図９】
0003551516.tif 000010
【図１０】
0003551516.tif 000011
【図１１】
0003551516.tif 000012
【図１２】
0003551516.tif 000013
【図１３】
0003551516.tif 000014
【図１４】
0003551516.tif 000015
【図１５】
0003551516.tif 000016
【図１６】
0003551516.tif 000017
【図１７】
0003551516.tif 000018